(57)【要約】【課題】  より確実性が高いセキュリティ装置を提供する。【解決手段】  ２値を判別できるセンサと、前記センサに対して外部から操作されるセキュリティキーと、前記セキュリティキーの検知結果が所定のパターンと合致していることを確認する確認手段とを備えていることを特徴とするセキュリティ装置。  Ｓ極とＮ極を判別できる磁気センサにより構成され２値を判別できるセンサと、前記センサに対して外部から操作されるセキュリティキーと、前記セキュリティキーの検知結果が所定のパターンと合致していることを確認する確認手段とを備えていることを特徴とするセキュリティ装置。【選択図】      図２
2008299449.tif 000002
【特許請求の範囲】
【請求項１】
２値を判別できるセンサと、
前記センサに対して外部から操作されるセキュリティキーと、前記セキュリティキーの検知結果が所定のパターンと合致していることを確認する確認手段とを
備えていることを特徴とするセキュリティ装置。
【請求項２】
前記センサは、Ｓ極とＮ極を判別できる磁気センサにより構成されていることを特徴とする請求項１に記載のセキュリティ装置。
【請求項３】
前記確認手段により前記合致が確認された場合に、システムをブートすることを特徴とする請求項１に記載のセキュリティ装置。
【請求項４】
前記確認手段により前記合致が成されないと確認された場合に、システムをロックすることを特徴とする請求項１に記載のセキュリティ装置。
【発明の詳細な説明】
【技術分野】
【０００１】
本発明は、パーソナルコンピュータ等におけるセキュリティ装置に関する。
【背景技術】
【０００２】
パーソナルコンピュータ等の電子機器においては、様々なセキュリティ装置が工夫されてきている。例えば、特許文献１に記載されている技術は、選択されたn個の磁石受け孔の展開パターンの相違、及び各磁石受け孔に嵌め込まれる永久磁石のN・S極の向きの組合せによって鍵違いを得るようにした磁石カードである。
【０００３】
これはＮ個のうちＮ−ｎ個のダミーを設けることを特徴とするものであるが、しかしながらセキュリティを実現するのに２値のセンス情報のみにより行うことは確実性が低いという問題があった。
【特許文献１】実公平７−２８３５２号公報
【発明の開示】
【発明が解決しようとする課題】
【０００４】
本発明は、より確実性が高いセキュリティ装置を提供することを目的とする。
【課題を解決するための手段】
【０００５】
上記課題を解決するために、本発明のセキュリティ装置は、２値を判別できるセンサと、前記センサに対して外部から操作されるセキュリティキーと、前記セキュリティキーの検知結果が所定のパターンと合致していることを確認する確認手段とを備えていることを特徴とする。
【発明の効果】
【０００６】
本発明によれば、より確実性が高いセキュリティ装置が得られる。
【発明を実施するための最良の形態】
【０００７】
以下、本発明の実施例を説明する。
【実施例１】
【０００８】
本発明によるセキュリティ装置の実施例１を図１乃至図６を参照して説明する。
図１はセキュリティ装置の例としてノートブック型パーソナルコンピュータ１０のディスプレイユニットを開いた状態における斜視図である。即ち、このセキュリティ装置は、ノートブック型パーソナルコンピュータ１０として実現されている。
【０００９】
本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれている。
【００１０】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。
【００１１】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、ＤＶＤ／ＣＤ起動ボタン１５Ｂも含まれている。ＴＶ起動ボタン１５Ａは、ＴＶ放送番組データの再生及び記録を行うためのＴＶ機能を起動するためのボタンである。ＴＶ起動ボタン１５Ａがユーザによって押下された時、ＴＶ機能を実行するためのＴＶアプリケーションプログラムが自動的に起動される。
【００１２】
本コンピュータにおいては、汎用の主オペレーティングシステムがインストールされている。
パワーボタン１４がユーザによって押下された時、主オペレーティングシステムが起動される。
図２は、セキュリティ装置であるパーソナルコンピュータ１０の機能構成図である。
本コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスク／光ディスクドライブ（ＨＤＤ／ＤＶＤ）１２１、磁気センサユニット１２２、エンベデッドコントローラ／キーボードコントローラ（ＥＣ／ＫＢＣ）１２３、およびTPM（Trusted Platform Module）１２４、電源回路１２５等を備えている。
【００１３】
ＣＰＵ１１１は本コンピュータ１０の動作を制御するために設けられたプロセッサであり、ハードディスク／光ディスクドライブ（ＨＤＤ／ＤＶＤ）１２１から主メモリ１１３にロードされる、主オペレーティングシステム／副オペレーティングシステム、および各種アプリケーションプログラムを実行する。
【００１４】
また、ＣＰＵ１１１は、ＢＩＯＳ−ＲＯＭ１２０に格納されたシステムＢＩＯＳ（Basic Input Output System）も実行する。システムＢＩＯＳはハードウエア制御のためのプログラムである。
【００１５】
比較的高速なデバイスを制御するノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００１６】
グラフィクスコントローラ１１４は本コンピュータ１０のディスプレイモニタとして使用されるＬＣＤ１７を制御する表示コントローラである。このグラフィクスコントローラ１１４は図示せぬビデオメモリ（ＶＲＡＭ）に書き込まれた映像データからＬＣＤ１７に送出すべき表示信号を生成する。
【００１７】
比較的低速なデバイスを制御するサウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ／ＯＤＤ１２１を制御するためのＩＤＥ（Integrated Drive Electronics）コントローラを内蔵している。さらに、サウスブリッジ１１９は、ＢＩＯＳ−ＲＯＭ１２０をアクセス制御するための機能も有している。
【００１８】
ＨＤＤ／ＯＤＤ１２１は、各種ソフトウェア及びデータをハードディスクに格納する記憶装置であり、またビデオコンテンツが格納されたＤＶＤ、ＣＤなどの記憶メディアを駆動するためのドライブユニットである。磁気センサユニット１２２は、外部からの操作によって、磁気センサからのＳ極及びＮ極を検知した場合に変化する信号出力をＥＣ／ＫＢＣへ送信する機能を有するユニットである。
【００１９】
エンベデッドコントローラ／キーボードコントローラ（ＥＣ／ＫＢＣ）１２３は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラ（ＥＣ／ＫＢＣ）１２３は、ユーザによるパワーボタン１４の操作に応じて本コンピュータ１０をパワーオン／パワーオフする機能を有している。さらに、エンベデッドコントローラ／キーボードコントローラ（ＥＣ／ＫＢＣ）１２３は、ユーザによるＴＶ起動ボタン１５Ａ、ＤＶＤ／ＣＤ起動ボタン１５Ｂの操作に応じて、本コンピュータ１０をパワーオンすることもできる。
【００２０】
以上はコンピュータ１０の概要を中心とする説明であり、以下はコンピュータ１０における実施例を中心とする説明である。
図３は、ノートＰＣでの開閉検知に使用している磁気センサＳ及び磁石Ｍの実配置例である。従来の開閉検知のみを行うための磁気センサとしては、単極又は双極の１出力タイプのＩＣで十分であった。
【００２１】
一方、図４は、本実施例で用いる磁気センサＳの特性概略を表ししたものである。双極２出力タイプのＩＣ出力であり、磁界Ｈの向きにより出力端子ＯＵＴ１またはＯＵＴ２のいずれかがヒステリシスを以ってＯＮ／ＯＦＦする。
【００２２】
図５は、本実施例でSecurity機能を実現した場合の、セキュリティキーの一例である。磁気面が例としてＳＮＮＳＮＳＳＮと２値で８ビット一列に並ぶ構成である。
【００２３】
即ち、２値（Ｓ，Ｎ）を判別できる磁気センサを使用し、セキュリティを実現する。一例としては、SまたはN磁石を特定の配列（例えば8bit）を施したセキュリティカードを作成し、センサ部位にこのカードをスライドすることで検知させ、これが記憶しているパターンと合致した場合にのみ、システムが起動するようにする。
【００２４】
実施動作例としては、図１のＰＣ構成に於いて、図３の磁気センサによって、図６で示される様なセキュリティキーを矢印方向にスライドさせることによって、Ｓ極及びＮ極の配列を検知し、ＴＰＭのセキュリティ領域に格納されているセキュリティキーのＳ極及びＮ極の配列と比較し、一致すればセキュリティＯＫ、一致しなければＮＧと判定することにより、セキュリティ機能を実現する。
【００２５】
また、Ｓ極或いはＮ極の連続判定には、一定の間隔以上（例えば１秒）だと前の極性をキャンセルする機能を持つ。
本実施例では、ＰＣに於いて、一般に使用されているパワーオンパスワードや指紋認証の代わりに、磁石を利用し、Ｓ極及びＮ極の配列をセキュリティキーとしたシステムにより、新たなセキュリティ機能を実現する。セキュリティ機能としては、上記のようにシステムをブートする場合と、合致を見ない場合にシステムをロックする場合とがある。
【００２６】
上記のように、ＰＣの磁気センサによるセキュリティを実現した。ノート型ＰＣでは、磁気センサ（一値）を使用して、ＬＣＤの開閉検知を実施している。この磁気センサを二値センサに変更し、パネルの開閉状態（０℃or１８０℃）を検知し、これに連動してLCD表示を反転させる等の技術が考えられている。また、PCのセキュリティ実現のため、TPM（セキュリティ専用データROM）チップの搭載等も実施されている。この磁気センサ（二値）とTPMチップを使用し、セキュリティシステムを構築した。
【００２７】
効果としてこれにより、特別な追加HW無しに、セキュリティシステムを実現することができる。２値（Ｓ，Ｎ）を判別できる磁気センサを使用し、セキュリティを実現することができる。
【００２８】
なお、この発明は上記実施例に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００２９】
【図１】本発明によるセキュリティ装置の実施例１の斜視図。
【図２】セキュリティ装置の実施例１の機能構成図。
【図３】同実施例の磁気センサＳ及び磁石Ｍの実配置例。
【図４】同実施例の磁気センサＳの特性概略図。
【図５】同実施例に用いられるセキュリティキーの一例。
【図６】同実施例のセキュリティキーの動作例。
【符号の説明】
【００３０】
１０  コンピュータ
１３  キーボード（ＫＢ）
１７  ＬＣＤ
１１１  ＣＰＵ
１１３  主メモリ
１１４  グラフィクスコントローラ
１１４Ａ  ＶＲＡＭ
１１５  ソフト処理部
１１９  サウスブリッジ
１２０  ＢＩＯＳ
１２１  ハードディスク／光ディスクドライブ（ＨＤＤ／ＤＶＤ）
１２２  磁気センサユニット
１２３  エンベデッドコントローラ／キーボードコントローラ（ＥＣ／ＫＢＣ）
１２４  ＴＰＭ
１２５  電源回路
【図１】
2008299449.tif 000003
【図２】
2008299449.tif 000004
【図３】
2008299449.tif 000005
【図４】
2008299449.tif 000006
【図５】
2008299449.tif 000007
【図６】
2008299449.tif 000008